(57)【要約】      （修正有）【課題】撮像機能を有する携帯端末装置において、自画像を撮影する場合に、意図した構図の自画像を撮影することができる携帯端末装置を提供する。【解決手段】携帯端末装置１００は、カメラデバイス５が生成した画像データに基づく撮影画像を表示する表示面を有する表示モニタ８と、顔検出部９と、ＬＥＤ制御部１０とを備える。顔検出部９は、撮影画像における顔画像領域の顔画像中心座標を出力する。ＬＥＤ制御部１０は、表示面の長辺方向における、表示面の基準点座標に対する顔画像中心座標のずれ量に応じた周期で第１ＬＥＤ（Ｌ１）を点滅させ、表示面の短辺方向における、表示面の基準点座標に対する顔画像中心座標のずれ量に応じた周期で第２ＬＥＤ（Ｌ２）を点滅させる。【選択図】図１
2015050704.tif 000002
【特許請求の範囲】
【請求項１】
第１主面および該第１主面とは反対側の第２主面を有する筐体と、
前記筐体の前記第１主面に設けられ、被写体を撮像して画像データを生成する撮像部と、
前記筐体の前記第２主面に設けられ、前記画像データに基づく画像を表示する矩形状の表示面を有する表示部と、
前記筐体の前記第１主面における、予め定める第１領域に設けられる第１発光部と、
前記筐体の前記第１主面における、前記第１領域とは異なる第２領域に設けられる第２発光部と、
前記表示面に表示される画像内の、予め定める条件を満たす特定領域を抽出し、該特定領域の中心を算出する特定領域中心算出部と、
前記表示面の長辺方向における、前記表示面の予め定める基準点からの、前記特定領域の中心のずれ量である長辺方向ずれ量を算出する長辺方向ずれ量算出部と、
前記表示面の短辺方向における、前記表示面の予め定める基準点からの、前記特定領域の中心のずれ量である短辺方向ずれ量を算出する短辺方向ずれ量算出部と、
前記第１発光部を前記長辺方向ずれ量に応じた周期で点滅させ、前記第２発光部を前記短辺方向ずれ量に応じた周期で点滅させる発光制御部と、を備えることを特徴とする携帯端末装置。
【請求項２】
前記発光制御部は、
前記長辺方向ずれ量が大きくなるにつれて、前記第１発光部を点滅させる周期を長くし、
前記長辺方向ずれ量が小さくなるにつれて、前記第１発光部を点滅させる周期を短くすることを特徴とする請求項１に記載の携帯端末装置。
【請求項３】
前記発光制御部は、
前記短辺方向ずれ量が大きくなるにつれて、前記第２発光部を点滅させる周期を長くし、
前記短辺方向ずれ量が小さくなるにつれて、前記第２発光部を点滅させる周期を短くすることを特徴とする請求項１または２に記載の携帯端末装置。
【請求項４】
コンピュータを、請求項１〜３のいずれか１つに記載の携帯端末装置として機能させるためのプログラム。
【請求項５】
請求項４に記載のプログラムを記録したコンピュータ読取可能な記録媒体。
【発明の詳細な説明】
【技術分野】
【０００１】
本発明は、被写体を撮像する撮像機能を有する携帯端末装置、プログラムおよび記録媒体に関する。
【背景技術】
【０００２】
近年、カメラ機能付き携帯電話装置またはデジタルカメラなど、静止画または動画を撮影するための撮像機能を有する携帯端末装置が広く利用されている。
【０００３】
通常、携帯端末装置は、撮像部による被写体の撮影に先立って、被写体の画像をプレビューするためにその画像を表示画面に表示できるようになっている。撮影者が対峙する被写体に撮像部を向けた状態で、撮影者が表示画面を確認するために、表示部の表示画面とは反対側の面に撮像部が配置されている。したがって、撮影者が自分自身を撮影しようとして撮像部を自分に向けたとき、表示部の表示画面が見えず、プレビューが行えない。
【０００４】
このような問題点を解決するための技術として、特許文献１には、フレーム内に検出した被写体の位置を、ＡＦ補助光の発光パターンにより撮影者に通知することが可能に構成された撮像装置が開示されている。特許文献１に開示される撮像装置によれば、撮影者は、ＡＦ補助光の発光パターンを確認することによって、被写体の位置を知ることができるので、自分自身の自画像を撮影する場合であっても、意図した構図の自画像を撮影することができる。
【０００５】
また、特許文献２には、筐体の表示部が設けられている側とは反対側の主面、すなわち、筐体の撮像部が設けられている側の主面に、３つの発光素子が配置された電子カメラが開示されている。特許文献２に開示される電子カメラでは、筐体の撮像部が設けられている側の主面において、左端部、中央部および右端部にそれぞれ発光素子が配置されており、被写体の顔がフレームの左側にあれば左端部に配置された発光素子が点灯し、被写体の顔がフレームの中央にあれば中央部に配置された発光素子が点灯し、被写体の顔がフレームの右側にあれば右端部に配置された発光素子が点灯するように制御される。このように構成される特許文献２に開示される電子カメラによれば、撮影者は、筐体の撮像部が設けられている側の主面に配置される３つの発光素子の点灯状態を確認することによって、被写体の位置を知ることができるので、自分自身の自画像を撮影する場合であっても、意図した構図の自画像を撮影することができる。
【先行技術文献】
【特許文献】
【０００６】
【特許文献１】特開２００６−１８４７８９号公報
【特許文献２】特開２０１２−１２４７６５号公報
【発明の概要】
【発明が解決しようとする課題】
【０００７】
しかしながら、特許文献１に開示される技術では、フレーム内における顔の位置ごとに定められた発光パターンでＡＦ補助光が発光するが、その発光パターンとフレーム内における顔の位置には関係性がなく、単に発光パターンを撮影者が確認しただけでは、フレーム内における顔の位置が、撮影者に直観的に伝わらない。すなわち、特許文献１に開示される技術では、撮影者は、フレーム内における被写体の位置ごとに異なる発光パターンを全て記憶しておく必要がある。
【０００８】
また、特許文献２に開示される技術では、撮影者は、フレーム内における顔の位置が、左、右、中央のいずれの位置にあるのかを確認することができるのみであり、フレーム内における上下方向に関する顔の位置を確認することができない。
【０００９】
本発明の目的は、被写体を撮像する撮像機能を有する携帯端末装置において、自分自身の自画像を撮影する場合に、意図した構図の自画像を撮影することができる携帯端末装置、プログラムおよび記録媒体を提供することである。
【課題を解決するための手段】
【００１０】
本発明は、
第１主面および該第１主面とは反対側の第２主面を有する筐体と、
前記筐体の前記第１主面に設けられ、被写体を撮像して画像データを生成する撮像部と、
前記筐体の前記第２主面に設けられ、前記画像データに基づく画像を表示する矩形状の表示面を有する表示部と、
前記筐体の前記第１主面における、予め定める第１領域に設けられる第１発光部と、
前記筐体の前記第１主面における、前記第１領域とは異なる第２領域に設けられる第２発光部と、
前記表示面に表示される画像内の、予め定める条件を満たす特定領域を抽出し、該特定領域の中心を算出する特定領域中心算出部と、
前記表示面の長辺方向における、前記表示面の予め定める基準点からの、前記特定領域の中心のずれ量である長辺方向ずれ量を算出する長辺方向ずれ量算出部と、
前記表示面の短辺方向における、前記表示面の予め定める基準点からの、前記特定領域の中心のずれ量である短辺方向ずれ量を算出する短辺方向ずれ量算出部と、
前記第１発光部を前記長辺方向ずれ量に応じた周期で点滅させ、前記第２発光部を前記短辺方向ずれ量に応じた周期で点滅させる発光制御部と、を備えることを特徴とする携帯端末装置である。
【００１１】
また本発明の携帯端末装置において、前記発光制御部は、
前記長辺方向ずれ量が大きくなるにつれて、前記第１発光部を点滅させる周期を長くし、
前記長辺方向ずれ量が小さくなるにつれて、前記第１発光部を点滅させる周期を短くすることを特徴とする。
【００１２】
また本発明の携帯端末装置において、前記発光制御部は、
前記短辺方向ずれ量が大きくなるにつれて、前記第２発光部を点滅させる周期を長くし、
前記短辺方向ずれ量が小さくなるにつれて、前記第２発光部を点滅させる周期を短くすることを特徴とする。
【００１３】
また本発明は、コンピュータを、前記携帯端末装置として機能させるためのプログラムである。
また本発明は、前記プログラムを記録したコンピュータ読取可能な記録媒体である。
【発明の効果】
【００１４】
本発明によれば、携帯端末装置は、筐体の第１主面に設けられる撮像部と、筐体の第１主面とは反対側の第２主面に設けられる表示部とを備え、撮像部によって生成された画像データを表示部の表示面に表示可能に構成されている。さらに本発明の携帯端末装置は、筐体の第１主面に設けられる第１および第２発光部と、特定領域中心算出部と、長辺方向ずれ量算出部と、短辺方向ずれ量算出部と、第１および第２発光部を制御する発光制御部とを備える。特定領域中心算出部は、撮像部による被写体の撮像に応じて生成された画像データに基づく、表示部の表示面に表示される画像における特定領域を抽出し、該特定領域の中心を算出する。
【００１５】
長辺方向ずれ量算出部は、表示部の表示面の長辺方向における、表示面の予め定める基準点に対する前記特定領域の中心の長辺方向ずれ量を算出する。短辺方向ずれ量算出部は、表示部の表示面の短辺方向における、表示面の予め定める基準点に対する前記特定領域の中心の短辺方向ずれ量を算出する。そして、発光制御部は、第１発光部を前記長辺方向ずれ量に応じた周期で点滅させ、第２発光部を前記短辺方向ずれ量に応じた周期で点滅させる。
【００１６】
上記のように構成された本発明の携帯端末装置では、自分自身の自画像を撮影する場合に、撮影者は、撮像部によって撮像中の被写体に対応した、表示部の表示面に表示された画像における顔などの特定領域の、表示面の長辺方向に関する長辺方向ずれ量を第１発光部の点滅周期で直感的に確認することができ、表示面の短辺方向に関する短辺方向ずれ量を第２発光部の点滅周期で直感的に確認することができる。したがって、自分自身の自画像を撮影する場合に、撮影者は、第１および第２発光部の点滅周期に応じて移動することによって、意図した構図の自画像を撮影することができる。
【図面の簡単な説明】
【００１７】
【図１】本発明の第１実施形態に係る携帯端末装置１００の構成を示すブロック図である。
【図２】携帯端末装置１００の外観を示す図である。
【図３】携帯端末装置１００における、撮像モード設定時の動作を示すフローチャートである。
【図４】携帯端末装置１００が撮像モードに設定されている状態における、第１および第２ＬＥＤの点灯制御処理を示すフローチャートである。
【図５】携帯端末装置１００における、第１および第２ＬＥＤの点灯制御処理を説明するための図である。
【図６】本発明の第２実施形態に係る携帯端末装置２００の構成を示すブロック図である。
【図７】携帯端末装置２００の外観を示す図である。
【図８Ａ】携帯端末装置２００が撮像モードに設定されている状態における、第１〜第４ＬＥＤの点灯制御処理を示すフローチャートである。
【図８Ｂ】携帯端末装置２００が撮像モードに設定されている状態における、第１〜第４ＬＥＤの点灯制御処理を示すフローチャートである。
【図９】携帯端末装置２００における、第１〜第４ＬＥＤの点灯制御処理を説明するための図である。
【発明を実施するための形態】
【００１８】
図１は、本発明の第１実施形態に係る携帯端末装置１００の構成を示すブロック図である。図２は、携帯端末装置１００の外観を示す図である。携帯端末装置１００は、カメラ機能付き携帯電話装置（スマートフォン）やデジタルカメラであり、本実施形態ではスマートフォンである。携帯端末装置１００は、電源ボタン１と、制御プロセッサ２と、シャッタースイッチ３と、カメラ制御部４と、撮像部として機能するカメラデバイス５と、画像処理部６と、表示制御部７と、表示部として機能する表示モニタ８と、特定領域中心算出部として機能する顔検出部９と、長辺方向ずれ量算出部、短辺方向ずれ量算出部および発光制御部として機能するＬＥＤ制御部１０と、第１および第２発光部とを備える。本実施形態では、携帯端末装置１００が備える第１発光部は、１つの発光ダイオード（以下、「第１ＬＥＤ」という）Ｌ１からなり、第２発光部は、１つの発光ダイオード（以下、「第２ＬＥＤ」という）Ｌ２からなる。
【００１９】
電源ボタン１は、携帯端末装置１００を起動させるためのものである。制御プロセッサ２は、携帯端末装置１００を構成する各部を統括的に制御する制御部として機能する。
【００２０】
カメラデバイス５は、カメラ制御部４によって制御されて、被写体を撮像して画像データを生成する。具体的には、カメラデバイス５は、レンズなどを含む撮像光学系と撮像素子とを含んで構成され、被写体からの光に基づいて撮像光学系を介して結像される光学像を、撮像素子によって電気信号に変換し、その変換された電気信号に基づいて画像データを生成する。このカメラデバイス５は、携帯端末装置１００の基本構造体となる筐体２１の、矩形状の第１主面に設けられている。なお、カメラデバイス５によって生成された画像データは、画像処理部６を介して表示モニタ８に入力される。
【００２１】
表示モニタ８は、たとえば液晶パネルおよびバックライトを備える液晶ディスプレイ装置や、有機ＥＬ（Electro-Luminescence）ディスプレイ装置などによって実現される。この表示モニタ８は、表示制御部７によって制御され、カメラデバイス５によって生成された画像データに基づく撮影画像３０を表示する。本実施形態では、表示モニタ８は、矩形状の表示面８１を有し、この表示面８１に撮影画像８１を表示する。また、表示モニタ８は、筐体２１の前記第１主面とは反対側の、矩形状の第２主面に設けられている。なお、矩形状に形成される表示面８１の長辺が延びる方向である長辺方向は、筐体２１の第１および第２主面の長辺方向に平行であり、表示面８１の短辺が延びる方向である短辺方向は、筐体２１の第１および第２主面の短辺方向に平行である。
【００２２】
なお、本明細書において、カメラデバイス５が被写体を撮像している状態とは、カメラデバイス５によって生成された画像データに基づく撮影画像３０が表示モニタ８に表示されている状態、すなわちカメラデバイス５による被写体の撮像によって撮影が可能な状態を意味する。したがって、撮影した撮影画像３０の記録は、たとえば、静止画の場合は、シャッタースイッチ３が押下操作されることによって記録すればよいし、動画の場合は、記録開始ボタン等が押下操作されることによって記録すればよい。
【００２３】
また、携帯端末装置１００は、携帯端末装置１００における動作モードが、制御プロセッサ２によって切換可能に構成されている。ここで、動作モードとは、携帯端末装置１００がどのような動作をするかが設定されたモードであり、この動作モードに従って、表示モニタ８における表示画面が切り換えられる。
【００２４】
制御プロセッサ２は、カメラデバイス５によって被写体の撮像動作が実行されるときには、表示モニタ８における表示画面を撮像モードに切り換え、撮影後に記録された撮影画像３０を確認する指示がユーザによって入力されたときには、表示モニタ８における表示画面を表示モードに切り換える。ここで、撮像モードとは、カメラデバイス５によって撮像中の被写体に対応した画像データに基づいて、表示モニタ８に撮影画像３０が表示されるモードである。また、表示モードとは、撮影後に記録された撮影画像３０が表示モニタ８に表示されるモードである。
【００２５】
第１ＬＥＤ（Ｌ１）および第２ＬＥＤ（Ｌ２）は、後述のＬＥＤ制御部１０によって制御されて発光する。第１ＬＥＤは、筐体２１における第１主面の予め定める第１領域に設けられ、第２ＬＥＤは、筐体２１における第１主面の前記第１領域とは異なる第２領域に設けられる。具体的には、第１ＬＥＤは、筐体２１における第１主面の長辺方向一端側で、かつ短辺方向一端部に設けられ、第２ＬＥＤは、筐体２１における第１主面の長辺方向他端側で、かつ短辺方向他端部に設けられる。すなわち、第１ＬＥＤと第２ＬＥＤとは、筐体２１の第１主面における、対角線上に位置する角隅部にそれぞれ設けられる。
【００２６】
顔検出部９は、携帯端末装置１００が撮像モードに設定された状態で、画像処理部６によって制御されて、表示モニタ８の表示面８１に表示される撮影画像３０内の、予め定める条件を満たす特定領域として顔画像領域３１を抽出し、抽出した顔画像領域３１の中心を算出する。さらに、顔検出部９は、算出した顔画像領域３１の中心の、表示面８１における位置を表す顔画像中心座標３１ａを算出する。なお、顔検出部９が抽出する顔画像領域３１は、カメラデバイス５によって生成された画像データに基づいて表示モニタ８の表示面８１に表示された撮影画像３０における、被写体の顔に対応した画像領域である。
【００２７】
ここで、顔検出部９によって実行される顔画像領域３１の検出方法について説明する。顔画像領域３１を検出する方法としては、たとえば、人の露出部の体温から検出する方法、動きから検出する方法、対象物までの距離から検出する方法、などである。「動きから検出する方法」とは、撮影画像３０中の各ピクセルが、連続するフレーム間でどの程度移動したかを検出するオプティカルフローを用いて顔画像領域３１の検出を行うものである。たとえば、撮影前に顔を左右に振るなどして抽出された領域を顔画像領域３１と認識する。「対象物までの距離から検出する方法」とは、携帯端末装置１００から最も近くに見つかった物体を顔と仮定する、または、取得された距離情報から顔の凹凸を検出し、顔の領域を推定するものである。距離情報の取得には、赤外光を用いたレンジスキャナを利用する方法や、撮像素子を複数用いてそれらの取得画像の差分から距離情報を得る方法等を利用することができる。本実施形態では、カメラデバイス５によって生成された画像データを解析することによって、顔画像領域３１の抽出を行なう。
【００２８】
まず、顔検出部９は、カメラデバイス５によって生成された画像データに基づく撮影画像３０から肌色領域を抽出する。この際、画素値は明暗の変化に強いとされているＨＳＶ色空間ヘマッピングした上で処理を行なう。見つかった肌色領域に対して、パターンマッチングやエッジ検出を付加することで背景にある肌色や肌色に近い色の服などをその領域から除去する。最後に、見つかった各領域の中心座標を求める。この中心座標を顔の位置であると仮定する。そのような領域が複数見つかった場合は、被写体が複数人であると判断する。複数人の場合には全員の顔画像領域の中心（重心）位置を顔画像領域３１の中心とみなして処理を行う。このような処理によって、顔検出部９は、撮影画像３０における顔画像領域３１の中心の、表示面８１における位置を表す顔画像中心座標３１ａを算出する。
【００２９】
ＬＥＤ制御部１０は、携帯端末装置１００が撮像モードに設定された状態で、表示モニタ８の表示面８１に表示される撮影画像３０について、表示面８１の長辺方向における、表示面８１の予め定める基準点の座標（基準点座標）に対する、顔画像領域３１についての顔画像中心座標３１ａの長辺方向ずれ量を算出する。また、ＬＥＤ制御部１０は、表示モニタ８の表示面８１に表示される撮影画像３０について、表示面８１の短辺方向における、表示面８１の基準点座標に対する、顔画像領域３１についての顔画像中心座標３１ａの短辺方向ずれ量を算出する。
【００３０】
さらにＬＥＤ制御部１０は、第１ＬＥＤを前記長辺方向ずれ量に応じた周期で点滅させ、第２ＬＥＤを前記短辺方向ずれ量に応じた周期で点滅させる。本実施形態では、ＬＥＤ制御部１０は、前記長辺方向ずれ量および短辺方向ずれ量が大きくなるにつれて、第１ＬＥＤおよび第２ＬＥＤを点滅させる周期を長くし、長辺方向ずれ量および短辺方向ずれ量が小さくなるにつれて、第１ＬＥＤおよび第２ＬＥＤを点滅させる周期を短くする。このような、ＬＥＤ制御部１０が実行する、第１ＬＥＤおよび第２ＬＥＤに対する点灯制御処理の詳細については、後述する。
【００３１】
次に、図３および図４を用いて、携帯端末装置１００の撮像モード設定時における動作について説明する。図３は、携帯端末装置１００における、撮像モード設定時の動作を示すフローチャートである。図４は、携帯端末装置１００が撮像モードに設定されている状態における、第１および第２ＬＥＤの点灯制御処理を示すフローチャートである。
【００３２】
携帯端末装置１００は、電源ボタン１が押下操作されて起動し、撮像モードに設定された状態で、撮像モード制御プログラムを実行し、撮像モード設定時における動作を開始する。なお、携帯端末装置１００を用いて被写体を撮影する場合、撮影者は、表示モニタ８の表示面８１を正面視して、表示面８１の長辺が横方向（左右方向）に延びる姿勢で携帯端末装置１００を用いて撮影することができ、また、表示面８１の短辺が横方向（左右方向）に延びる姿勢で携帯端末装置１００を用いて撮影することができる。撮影者が自分自身を撮影する場合には、表示モニタ８の表示面８１を見ながら撮影するのではなく、筐体２１において、表示モニタ８が配置される第１主面とは反対側の、カメラデバイス５、第１ＬＥＤおよび第２ＬＥＤが配置される第２主面を見ながら撮影することになる。
【００３３】
以下では、撮影者が、表示モニタ８の表示面８１を正面視して、表示面８１の長辺が横方向（左右方向）に延びる姿勢で携帯端末装置１００を用いて撮影することとして説明する。また、本実施形態では、表示モニタ８の表示面８１には、表示面８１の長辺が横方向（左右方向）に延びる姿勢において、表示面８１の下側長辺と左側短辺との交点を基準点（原点）とし、下側長辺に沿って延びるｘ軸と、左側短辺に沿って延びるｙ軸とで規定されるｘｙ座標が設定されている。この表示面８１におけるｘｙ座標は、ｘ軸座標が「０〜８」に設定され、ｙ軸座標が「０〜８」に設定されている。たとえば、表示面８１において、基準点（原点）の座標は（ｘ，ｙ）＝（０，０）であり、表示面８１の右下端の座標は（ｘ，ｙ）＝（８，０）であり、表示面８１の左上端の座標は（ｘ，ｙ）＝（０，８）である。
【００３４】
まず、ステップｓ１では、制御プロセッサ２に制御されたＬＥＤ制御部１０は、第１ＬＥＤおよび第２ＬＥＤを消灯させる。
【００３５】
次に、ステップｓ２では、制御プロセッサ２に制御されたカメラ制御部４は、カメラデバイス５に被写体の撮像を開始させる。次に、ステップｓ３では、画像処理部６は、カメラデバイス５が被写体の撮像動作によって生成した画像データを表示制御部７に出力する。
【００３６】
ステップｓ４では、画像データが入力された表示制御部７は、表示モニタ８を制御し、画像データに基づく撮影画像３０を表示面８１に表示させる。次に、ステップｓ５では、画像処理部６に制御された顔検出部９は、撮影画像３０における顔画像領域３１を抽出する。
【００３７】
次に、ステップｓ６では、顔検出部９は、撮影画像３０において顔画像領域３１が存在するか否かを判断する。顔検出部９が顔画像領域３１が存在すると判断した場合にはステップｓ８に進み、顔画像領域３１が存在しないと判断した場合にはステップｓ７に進む。
【００３８】
ステップｓ７では、制御プロセッサ２に制御されたＬＥＤ制御部１０は、第１ＬＥＤおよび第２ＬＥＤを消灯させる。また、ステップｓ８では、顔検出部９は、撮影画像３０から抽出した顔画像領域３１の中心位置を表す顔画像中心座標３１ａを算出し、その算出した顔画像中心座標３１ａを制御プロセッサ２に出力する。
【００３９】
顔検出部９から出力された顔画像中心座標３１ａが入力された制御プロセッサ２は、ステップｓ９において、第１ＬＥＤおよび第２ＬＥＤの点灯制御処理を開始する。ステップｓ９において第１ＬＥＤと第２ＬＥＤの点灯制御処理を終了すると、ステップｓ３へ戻り、撮像モードを終了するまで処理を繰り返す。
【００４０】
ステップｓ９における、第１ＬＥＤおよび第２ＬＥＤの点灯制御処理は、図４に示すフローチャートに従って実行される。制御プロセッサ２によって第１ＬＥＤおよび第２ＬＥＤの点灯制御処理が開始された、ステップｓ９１では、制御プロセッサ２によって制御されたＬＥＤ制御部１０は、顔検出部９によって算出された顔画像中心座標３１ａのｘ軸座標が「０＜ｘ＜９」であるか否かを判断する。ｘ軸座標が「０＜ｘ＜９」であると判断した場合にはステップｓ９２に進み、ｘ軸座標が「０＜ｘ＜９」ではないと判断した場合にはステップｓ９３に進む。
【００４１】
ステップｓ９２では、ＬＥＤ制御部１０は、表示面８１の長辺方向（ｘ軸方向）における、基準点（原点）座標に対する、顔画像領域３１についての顔画像中心座標３１ａの長辺方向ずれ量を算出する。すなわち、ＬＥＤ制御部１０は、基準点（原点）のｘ軸座標「０」に対する、顔画像中心座標３１ａにおけるｘ軸座標の長辺方向ずれ量を算出する。ここで、基準点（原点）のｘ軸座標が「０」であるので、前記長辺方向ずれ量は、顔画像中心座標３１ａにおけるｘ軸座標に一致する。そして、ＬＥＤ制御部１０は、算出した前記長辺方向ずれ量に応じて第１ＬＥＤの点滅周期を表す点滅間隔Ｔｈを「Ｔｈ＝ｘ（長辺方向ずれ量）／８」に設定する。また、ステップｓ９３では、ＬＥＤ制御部１０は、第１ＬＥＤの点滅間隔Ｔｈを「消灯」に設定する。
【００４２】
次に、ステップｓ９４では、ＬＥＤ制御部１０は、顔検出部９によって算出された顔画像中心座標３１ａのｙ軸座標が「０＜ｙ＜９」であるか否かを判断する。ｙ軸座標が「０＜ｙ＜９」であると判断した場合にはステップｓ９５に進み、ｙ軸座標が「０＜ｙ＜９」ではないと判断した場合にはステップｓ９６に進む。
【００４３】
ステップｓ９５では、ＬＥＤ制御部１０は、表示面８１の短辺方向（ｙ軸方向）における、基準点（原点）座標に対する、顔画像領域３１についての顔画像中心座標３１ａの短辺方向ずれ量を算出する。すなわち、ＬＥＤ制御部１０は、前述のステップｓ９２と同様にして、基準点（原点）のｙ軸座標「０」に対する、顔画像中心座標３１ａにおけるｙ軸座標の短辺方向ずれ量を算出する。そして、ＬＥＤ制御部１０は、算出した前記短辺方向ずれ量に応じて第２ＬＥＤの点滅周期を表す点滅間隔Ｔｖを「Ｔｖ＝ｙ（短辺方向ずれ量）／８」に設定する。また、ステップｓ９６では、ＬＥＤ制御部１０は、第２ＬＥＤの点滅間隔Ｔｖを「消灯」に設定する。
【００４４】
そして、ステップｓ９７では、ＬＥＤ制御部１０は、第１ＬＥＤおよび第２ＬＥＤの点灯制御を実行し、設定した点滅間隔Ｔｈで第１ＬＥＤを点滅させ、設定した点滅間隔Ｔｖで第２ＬＥＤを点滅させる。
【００４５】
ＬＥＤ制御部１０が実行する具体的な点灯制御について、図５を用いて説明する。図５は、携帯端末装置１００における、第１および第２ＬＥＤの点灯制御処理を説明するための図である。
【００４６】
図５（ａ）では、顔検出部９によって算出される顔画像領域３１の顔画像中心座標３１ａが（ｘ，ｙ）＝（１，２）のエリアに存在する。このような場合には、ＬＥＤ制御部１０は、第１ＬＥＤの点滅周期を表す点滅間隔Ｔｈが「１／８」に設定され、第２ＬＥＤの点滅周期を表す点滅間隔Ｔｖが「２／８」に設定される。したがって、第１ＬＥＤは、「１／８」秒間隔で点灯および消灯を繰り返すように点滅し、第２ＬＥＤは、「２／８」秒間隔で点灯および消灯を繰り返すように点滅する。
【００４７】
図５（ｂ）では、顔検出部９によって算出される顔画像領域３１の顔画像中心座標３１ａが（ｘ，ｙ）＝（４，４）に存在する。このような場合には、ＬＥＤ制御部１０は、第１ＬＥＤの点滅周期を表す点滅間隔Ｔｈが「４／８」に設定され、第２ＬＥＤの点滅周期を表す点滅間隔Ｔｖが「４／８」に設定される。したがって、第１ＬＥＤは、「４／８」秒間隔で点灯および消灯を繰り返すように点滅し、第２ＬＥＤは、「４／８」秒間隔で点灯および消灯を繰り返すように点滅する。
【００４８】
図５（ｃ）では、顔検出部９によって顔画像領域３１が抽出されず、表示面８１内に顔画像領域３１が存在しない。したがって、第１ＬＥＤおよび第２ＬＥＤは、消灯する。
【００４９】
以上のように構成された本実施形態に係る携帯端末装置１００では、撮像モードが設定された状態において、自分自身の自画像を撮影する場合に、撮影者は、カメラデバイス５によって撮像中の被写体に対応した、表示モニタ８の表示面８１に表示された撮影画像３０における顔画像領域３１の、表示面８１の長辺方向に関する長辺方向ずれ量を第１ＬＥＤの点滅周期で直感的に確認することができ、表示面８１の短辺方向に関する短辺方向ずれ量を第２ＬＥＤの点滅周期で直感的に確認することができる。したがって、自分自身の自画像を撮影する場合に、撮影者は、第１ＬＥＤおよび第２ＬＥＤの点滅周期に応じて移動することによって、意図した構図の自画像を撮影することができる。
【００５０】
図６は、本発明の第２実施形態に係る携帯端末装置２００の構成を示すブロック図である。図７は、携帯端末装置２００の外観を示す図である。携帯端末装置２００は、前述した第１実施形態に係る携帯端末装置１００に類似し、対応する部分については同一の参照符号を付して説明を省略する。
【００５１】
本実施形態の携帯端末装置２００は、前述した携帯端末装置１００が２つのＬＥＤである第１ＬＥＤおよび第２ＬＥＤを備えていたのに対して、４つのＬＥＤである第１ＬＥＤ（Ｌ１）、第２ＬＥＤ（Ｌ２）、第３ＬＥＤ（Ｌ３）および第４ＬＥＤ（Ｌ４）を備えていることが特徴である。本実施形態では、携帯端末装置２００が備える第１発光部は、２つの発光ダイオードである第１ＬＥＤおよび第２ＬＥＤからなり、第２発光部は、２つの発光ダイオードである第３ＬＥＤおよび第４ＬＥＤからなる。
【００５２】
第１ＬＥＤ、第２ＬＥＤ、第３ＬＥＤ、および第４ＬＥＤは、ＬＥＤ制御部１０によって制御されて発光する。
【００５３】
第１ＬＥＤおよび第２ＬＥＤは、筐体２１における第１主面の予め定める第１領域に設けられ、第３ＬＥＤおよび第４ＬＥＤは、筐体２１における第１主面の前記第１領域とは異なる第２領域に設けられる。具体的には、第１ＬＥＤは、筐体２１における第１主面の長辺方向一端側で、かつ短辺方向中央部に設けられ、第２ＬＥＤは、筐体２１における第１主面の長辺方向他端側で、かつ短辺方向中央部に設けられ、第３ＬＥＤは、筐体２１における第１主面の短辺方向一端側で、かつ長辺方向中央部に設けられ、第４ＬＥＤは、筐体２１における第１主面の短辺方向他端側で、かつ長辺方向中央部に設けられる。
【００５４】
次に、図８Ａおよび図８Ｂを用いて、携帯端末装置２００の撮像モード設定時における動作について説明する。図８Ａおよび図８Ｂは、携帯端末装置２００が撮像モードに設定されている状態における、第１〜第４ＬＥＤの点灯制御処理を示すフローチャートである。
【００５５】
携帯端末装置２００は、電源ボタン１が押下操作されて起動し、撮像モードに設定された状態で、撮像モード制御プログラムを実行し、撮像モード設定時における動作を開始する。撮影者が自分自身を撮影する場合には、表示モニタ８の表示面８１を見ながら撮影するのではなく、筐体２１において、表示モニタ８が配置される第１主面とは反対側の、カメラデバイス５、第１ＬＥＤ、第２ＬＥＤ、第３ＬＥＤ、および第４ＬＥＤが配置される第２主面を見ながら撮影することになる。
【００５６】
以下では、撮影者が、表示モニタ８の表示面８１を正面視して、表示面８１の長辺が横方向（左右方向）に延びる姿勢で携帯端末装置２００を用いて撮影することとして説明する。また、本実施形態では、表示モニタ８の表示面８１には、表示面８１の長辺が横方向（左右方向）に延びる姿勢において、表示面８１の中心を基準点（原点）とし、該基準点（原点）を通り表示面８１の長辺に平行に延びるｘ軸と、該基準点（原点）を通り表示面８１の短辺に平行に延びるｙ軸とで規定されるｘｙ座標が設定されている。この表示面８１におけるｘｙ座標は、ｘ軸座標が「−４〜４」に設定され、ｙ軸座標が「−４〜４」に設定されている。たとえば、表示面８１において、基準点（原点）の座標は（ｘ，ｙ）＝（０，０）であり、表示面８１の右下端の座標は（ｘ，ｙ）＝（４，−４）であり、表示面８１の右上端の座標は（ｘ，ｙ）＝（４，４）であり、表示面８１の左下端の座標は（ｘ，ｙ）＝（−４，−４）であり、表示面８１の左上端の座標は（ｘ，ｙ）＝（−４，４）である。
【００５７】
制御プロセッサ２によって第１ＬＥＤ、第２ＬＥＤ、第３ＬＥＤおよび第４ＬＥＤの点灯制御処理が開始された、ステップａ９１では、制御プロセッサ２によって制御されたＬＥＤ制御部１０は、顔検出部９によって算出された顔画像中心座標３１ａのｘ軸座標が「−５＜ｘ＜５」であるか否かを判断する。ｘ軸座標が「−５＜ｘ＜５」であると判断した場合にはステップａ９４に進み、ｘ軸座標が「−５＜ｘ＜５」ではないと判断した場合にはステップａ９２に進む。
【００５８】
ステップａ９２では、ＬＥＤ制御部１０は、第２ＬＥＤの点滅間隔Ｔｒを「消灯」に設定する。次に、ステップａ９３では、ＬＥＤ制御部１０は、第１ＬＥＤの点滅間隔Ｔｌを「消灯」に設定し、ステップａ１０２に進む。
【００５９】
ステップａ９１において顔画像中心座標３１ａのｘ軸座標が「−５＜ｘ＜５」であると判断された後のステップａ９４では、ＬＥＤ制御部１０は、顔検出部９によって算出された顔画像中心座標３１ａのｘ軸座標が「ｘ＜０」であるか否かを判断する。ｘ軸座標が「ｘ＜０」であると判断した場合にはステップａ９５に進み、ｘ軸座標が「ｘ＜０」ではないと判断した場合にはステップａ９７に進む。
【００６０】
ステップａ９５では、ＬＥＤ制御部１０は、表示面８１の長辺方向（ｘ軸方向）における、基準点（原点）座標に対する、顔画像領域３１についての顔画像中心座標３１ａの長辺方向ずれ量を算出する。すなわち、ＬＥＤ制御部１０は、基準点（原点）のｘ軸座標「０」に対する、顔画像中心座標３１ａにおけるｘ軸座標の長辺方向ずれ量を算出する。ここで、基準点（原点）のｘ軸座標が「０」であるので、前記長辺方向ずれ量は、顔画像中心座標３１ａにおけるｘ軸座標の絶対値に一致する。そして、ＬＥＤ制御部１０は、算出した前記長辺方向ずれ量に応じて第２ＬＥＤの点滅周期を表す点滅間隔Ｔｒを「Ｔｒ＝｜ｘ｜（長辺方向ずれ量）／４」に設定する。また、ステップａ９６では、ＬＥＤ制御部１０は、第１ＬＥＤの点滅間隔Ｔｌを「消灯」に設定する。
【００６１】
ステップａ９７では、ＬＥＤ制御部１０は、顔検出部９によって算出された顔画像中心座標３１ａのｘ軸座標が「ｘ＝０」であるか否かを判断する。ｘ軸座標が「ｘ＝０」であると判断した場合にはステップａ９８に進み、ｘ軸座標が「ｘ＝０」ではないと判断した場合にはステップａ１００に進む。
【００６２】
ステップａ９８では、ＬＥＤ制御部１０は、第２ＬＥＤの点滅間隔Ｔｒを「点灯」に設定する。また、ステップａ９９では、ＬＥＤ制御部１０は、第１ＬＥＤの点滅間隔Ｔｌを「点灯」に設定する。
【００６３】
ステップａ１００では、ＬＥＤ制御部１０は、第２ＬＥＤの点滅間隔Ｔｒを「消灯」に設定する。また、ステップａ１０１では、ＬＥＤ制御部１０は、第１ＬＥＤの点滅間隔Ｔｌを「Ｔｌ＝ｘ（長辺方向ずれ量）／４」に設定する。
【００６４】
次に、ステップａ１０２では、ＬＥＤ制御部１０は、顔検出部９によって算出された顔画像中心座標３１ａのｙ軸座標が「−５＜ｙ＜５」であるか否かを判断する。ｙ軸座標が「−５＜ｙ＜５」であると判断した場合にはステップａ１０５に進み、ｙ軸座標が「−５＜ｙ＜５」ではないと判断した場合にはステップａ１０３に進む。
【００６５】
ステップａ１０３では、ＬＥＤ制御部１０は、第３ＬＥＤの点滅間隔Ｔｔを「消灯」に設定する。次に、ステップａ１０４では、ＬＥＤ制御部１０は、第４ＬＥＤの点滅間隔Ｔｂを「消灯」に設定する。
【００６６】
ステップａ１０２において顔画像中心座標３１ａのｙ軸座標が「−５＜ｙ＜５」であると判断された後のステップａ１０５では、ＬＥＤ制御部１０は、顔検出部９によって算出された顔画像中心座標３１ａのｙ軸座標が「ｙ＜０」であるか否かを判断する。ｙ軸座標が「ｙ＜０」であると判断した場合にはステップａ１０６に進み、ｙ軸座標が「ｙ＜０」ではないと判断した場合にはステップａ１０８に進む。
【００６７】
ステップａ１０６では、ＬＥＤ制御部１０は、表示面８１の短辺方向（ｙ軸方向）における、基準点（原点）座標に対する、顔画像領域３１についての顔画像中心座標３１ａの短辺方向ずれ量を算出する。すなわち、ＬＥＤ制御部１０は、基準点（原点）のｙ軸座標「０」に対する、顔画像中心座標３１ａにおけるｙ軸座標の短辺方向ずれ量を算出する。ここで、基準点（原点）のｙ軸座標が「０」であるので、前記短辺方向ずれ量は、顔画像中心座標３１ａにおけるｙ軸座標の絶対値に一致する。そして、ＬＥＤ制御部１０は、第３ＬＥＤの点滅間隔Ｔｔを「消灯」に設定する。また、ステップａ１０７では、ＬＥＤ制御部１０は、算出した前記短辺方向ずれ量に応じて第４ＬＥＤの点滅周期を表す点滅間隔Ｔｂを「Ｔｂ＝｜ｙ｜（短辺方向ずれ量）／４」に設定する。
【００６８】
ステップａ１０８では、ＬＥＤ制御部１０は、顔検出部９によって算出された顔画像中心座標３１ａのｙ軸座標が「ｙ＝０」であるか否かを判断する。ｙ軸座標が「ｙ＝０」であると判断した場合にはステップａ１０９に進み、ｙ軸座標が「ｙ＝０」ではないと判断した場合にはステップａ１１１に進む。
【００６９】
ステップａ１０９では、ＬＥＤ制御部１０は、第３ＬＥＤの点滅間隔Ｔｔを「点灯」に設定する。また、ステップａ１１０では、ＬＥＤ制御部１０は、第４ＬＥＤの点滅間隔Ｔｂを「点灯」に設定する。
【００７０】
ステップａ１１１では、ＬＥＤ制御部１０は、第３ＬＥＤの点滅間隔Ｔｔを「Ｔｔ＝ｙ（短辺方向ずれ量）／４」に設定する。また、ステップａ１１２では、ＬＥＤ制御部１０は、第４ＬＥＤの点滅間隔Ｔｂを「消灯」に設定する。
【００７１】
以上のような動作によって、ＬＥＤ制御部１０は、第１ＬＥＤ、第２ＬＥＤ、第３ＬＥＤおよび第４ＬＥＤの点灯制御を実行し、設定した点滅間隔Ｔｌで第１ＬＥＤを点滅させ、設定した点滅間隔Ｔｒで第２ＬＥＤを点滅させ、設定した点滅間隔Ｔｔで第３ＬＥＤを点滅させ、設定した点滅間隔Ｔｂで第４ＬＥＤを点滅させる。
【００７２】
ＬＥＤ制御部１０が実行する具体的な点灯制御について、図９を用いて説明する。図９は、携帯端末装置２００における、第１〜第４ＬＥＤの点灯制御処理を説明するための図である。
【００７３】
図９（ａ）では、顔検出部９によって算出される顔画像領域３１の顔画像中心座標３１ａが（ｘ，ｙ）＝（−４，−３）のエリアに存在する。このような場合には、ＬＥＤ制御部１０は、第１ＬＥＤの点滅周期を表す点滅間隔Ｔｌが「消灯」に設定され、第２ＬＥＤの点滅周期を表す点滅間隔Ｔｒが「｜−４｜／４」に設定され、第３ＬＥＤの点滅周期を表す点滅間隔Ｔｔが「消灯」に設定され、第４ＬＥＤの点滅周期を表す点滅間隔Ｔｂが「｜−３｜／４」に設定される。したがって、第１ＬＥＤは消灯し、第２ＬＥＤは「｜−４｜／４」秒間隔で点灯および消灯を繰り返すように点滅し、第３ＬＥＤは消灯し、第４ＬＥＤは「｜−３｜／４」秒間隔で点灯および消灯を繰り返すように点滅する。
【００７４】
図９（ｂ）では、顔検出部９によって算出される顔画像領域３１の顔画像中心座標３１ａが（ｘ，ｙ）＝（０，０）に存在する。このような場合には、ＬＥＤ制御部１０は、第１ＬＥＤの点滅周期を表す点滅間隔Ｔｌが「点灯」に設定され、第２ＬＥＤの点滅周期を表す点滅間隔Ｔｒが「点灯」に設定され、第３ＬＥＤの点滅周期を表す点滅間隔Ｔｔが「点灯」に設定され、第４ＬＥＤの点滅周期を表す点滅間隔Ｔｂが「点灯」に設定される。したがって、第１ＬＥＤ、第２ＬＥＤ、第３ＬＥＤ、および第４ＬＥＤの全てが点灯する。
【００７５】
図９（ｃ）では、顔検出部９によって顔画像領域３１が抽出されず、表示面８１内に顔画像領域３１が存在しない。したがって、第１ＬＥＤ、第２ＬＥＤ、第３ＬＥＤおよび第４ＬＥＤは、消灯する。
【００７６】
以上のように構成された本実施形態に係る携帯端末装置２００では、撮像モードが設定された状態において、自分自身の自画像を撮影する場合に、撮影者は、カメラデバイス５によって撮像中の被写体に対応した、表示モニタ８の表示面８１に表示された撮影画像３０における顔画像領域３１の、表示面８１の長辺方向に関する長辺方向ずれ量を、第１ＬＥＤおよび第２ＬＥＤの点滅周期で直感的に確認することができ、表示面８１の短辺方向に関する短辺方向ずれ量を、第３ＬＥＤおよび第４ＬＥＤの点滅周期で直感的に確認することができる。したがって、自分自身の自画像を撮影する場合に、撮影者は、第１ＬＥＤ、第２ＬＥＤ、第３ＬＥＤおよび第４ＬＥＤの点滅周期に応じて移動することによって、意図した構図の自画像を撮影することができる。
【００７７】
上記の実施形態では、撮像モード制御プログラムは、半導体メモリによって実現される記憶部に記憶されているが、このような記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００７８】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００７９】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００８０】
１  電源ボタン
２  制御プロセッサ
３  シャッタースイッチ
４  カメラ制御部
５  カメラデバイス
６  画像処理部
７  表示制御部
８  表示モニタ
９  顔検出部
１０  ＬＥＤ制御部
２１  筐体
３０  被写体
３１  顔画像領域
３１ａ  顔画像中心座標
１００，２００  携帯端末装置
Ｌ１  第１ＬＥＤ
Ｌ２  第２ＬＥＤ
Ｌ３  第３ＬＥＤ
Ｌ４  第４ＬＥＤ
【図１】
2015050704.tif 000003
【図２】
2015050704.tif 000004
【図３】
2015050704.tif 000005
【図４】
2015050704.tif 000006
【図５】
2015050704.tif 000007
【図６】
2015050704.tif 000008
【図７】
2015050704.tif 000009
【図８Ａ】
2015050704.tif 000010
【図８Ｂ】
2015050704.tif 000011
【図９】
2015050704.tif 000012